(57)【要約】【課題】  スクリーンの周辺部の画像が暗くなる現象を簡易に抑えて全体に均一な明るさの画像を投射することができるプロジェクタを提供すること。【解決手段】  各液晶ライトバルブ２５ａ〜２５ｃで変調された照明光すなわち像光は、クロスダイクロイックプリズム２７で合成された後、投射レンズ２９に入射する。投射レンズ２９に入射した像光は、不図示のスクリーンに投影される。この際、クロスダイクロイックプリズム２７の射出面２７ｃに中央に開口２８ａを有する位相差板２８を貼り付けているので、反射ミラー１６の中央部にＰ偏光を入射させ、反射ミラー１６の周辺部にＳ偏光を入射さることができる。よって、反射ミラー１６の周辺部における像光の反射率を高めることができ、透過型スクリーン１８上に投射される画像が周辺で暗くなる現象を抑えることができる。【選択図】  図１
2005250241.tif 000002
【特許請求の範囲】
【請求項１】
照明装置から射出される所定の偏光方向の照明光によって照明されるとともに、当該照明光を変調する光変調手段と、
前記光変調手段を経ることによって形成された像光の投射像を形成する投射光学系と、
前記投射光学系から射出された像光をスクリーンに導く折返しミラーと、
前記光変調手段の射出側に配置されて、像光の偏光方向を光路断面の中央部及び周辺部のいずれか一方で回転させる偏光方向回転手段と
を備えるプロジェクタ。
【請求項２】
前記偏光方向回転手段は、像光の光路断面上に部分的に配置された位相差板を含むことを特徴とする請求項１記載のプロジェクタ。
【請求項３】
前記位相差板は、像光の光路断面の周辺部に配置されていることを特徴とする請求項２記載のプロジェクタ。
【請求項４】
前記偏光方向回転手段は、像光の光路断面上に全体的に配置された第１位相差板と、像光の光路断面上に部分的に配置された第２位相差板とを含むことを特徴とする請求項１記載のプロジェクタ。
【請求項５】
前記照明装置は、各色の照明光を射出し、前記光変調手段は、前記照明装置から射出される各色の照明光によってそれぞれ照明されるとともに、各色の照明光をそれぞれ変調する各色の光変調装置と、当該各色の光変調装置を経た各色の変調光を合成した像光を射出する光合成部材とを有することを特徴とする請求項１乃至請求項４のいずれか一項記載のプロジェクタ。
【請求項６】
前記光合成部材は、クロスダイクロイックプリズムであり、前記偏光方向回転手段は、前記クロスダイクロイックプリズムの射出面に貼り付けられることを特徴とする請求項５記載のプロジェクタ。
【請求項７】
前記偏光方向回転手段は、前記投射光学系の入射側の光学素子に貼り付けられていることを特徴とする請求項５記載のプロジェクタ。
【請求項８】
前記偏光方向回転手段は、前記投射光学系の射出側の光学素子に貼り付けられていることを特徴とする請求項５記載のプロジェクタ。
【発明の詳細な説明】
【技術分野】
【０００１】
本発明は、液晶表示パネルその他の光変調装置を用いてカラー画像を投射するプロジェクタに関する。
【背景技術】
【０００２】
従来のプロジェクタを構成する光学系として、各色の照明光で照明された液晶表示パネルからの各色の変調光を、クロスダイクロイックプリズムとよばれる光合成部材で合成し、カラー画像として投射するものが存在する（特許文献１参照）。このような光学系を背面投射型のプロジェクタに組み込む場合、プロジェクタの薄型化のため、投射レンズからの像光を折返しミラーで反射させた後スクリーンを通過させる。
【特許文献１】特開２０００−２０６４５０号公報
【発明の開示】
【発明が解決しようとする課題】
【０００３】
しかし、上記のようなプロジェクタでは、スクリーンの中央部の画像が明るく周辺部の画像が暗くなる傾向がある。これは、例えばスクリーンやミラーへの像光の入射角度が中央部で小さく周辺部で大きくなる傾向があり、周辺部で光量損失が生じているものと考えられる。
【０００４】
そこで、本発明は、スクリーンの周辺部の画像が暗くなる現象を簡易に抑えて全体に均一な明るさの画像を投射することができるプロジェクタを提供することを目的とする。
【課題を解決するための手段】
【０００５】
上記課題を解決するため、本発明に係るプロジェクタは、（ａ）照明装置から射出される所定の偏光方向の照明光によって照明されるとともに、当該照明光を変調する光変調手段と、（ｂ）光変調手段を経ることによって形成された像光の投射像を形成する投射光学系と、（ｃ）投射光学系から射出された像光をスクリーンに導く折返しミラーと、（ｄ）光変調手段の射出側に配置されて、像光の偏光方向を光路断面の中央部及び周辺部のいずれか一方で回転させる偏光方向回転手段とを備える。
【０００６】
上記プロジェクタでは、偏光方向回転手段が像光の偏光方向を光路断面の中央部及び周辺部のいずれか一方で回転させるので、折返しミラーの偏光依存特性を利用して周辺部での減光を中央部での減光に比較して少なくすることができる。よって、全体に均一な明るさの画像を投射することができるプロジェクタを提供することができる。
【０００７】
また、本発明の具体的な態様では、上記プロジェクタにおいて、偏光方向回転手段が、像光の光路断面上に部分的に配置された位相差板を含む。この場合、位相差板によって光量損失なく簡易に偏光方向を回転させることができる。
【０００８】
また、本発明の別の具体的な態様では、位相差板が、像光の光路断面の周辺部に配置されている。ここで、位相差板は、例えばλ／２波長板である。この場合、折返しミラーにＰ偏光の像光が入射することを想定しており、周辺部でＰ偏光をＳ偏光にすることができるので、Ｓ偏光が入射する周辺部でＰ偏光が入射する中央部よりも相対的に反射率を高めることができる。
【０００９】
また、本発明の別の具体的な態様では、偏光方向回転手段が、像光の光路断面上に全体的に配置された第１位相差板と、像光の光路断面上に部分的に配置された第２位相差板とを含む。ここで、第１及び第２位相差板は、例えばλ／２波長板である。この場合、中央部が欠けたドーナッツ状の位相差板を用いる必要がなく、第１及び第２位相差板の加工が簡単である。
【００１０】
また、本発明の別の具体的な態様では、照明装置が、各色の照明光を射出し、光変調手段が、照明装置から射出される各色の照明光によってそれぞれ照明されるとともに、各色の照明光をそれぞれ変調する各色の光変調装置と、当該各色の光変調装置を経た各色の変調光を合成した像光を射出する光合成部材とを有する。この場合、各色の光変調装置からの像光の合成によってカラー画像を投射することができる。
【００１１】
また、本発明の別の具体的な態様では、光合成部材が、クロスダイクロイックプリズムであり、偏光方向回転手段が、クロスダイクロイックプリズムの射出面に貼り付けられる。この場合、クロスダイクロイックプリズムで合成後のカラー像光に対して一括して偏光方向の回転を行うことができる。
【００１２】
また、本発明の別の具体的な態様では、偏光方向回転手段が、投射光学系の入射側の光学素子に貼り付けられている。この場合、偏光方向回転手段による中央部と周辺部との偏光切替境界をデフォーカスさせやすくなる。
【００１３】
また、本発明の別の具体的な態様では、偏光方向回転手段が、投射光学系の射出側の光学素子に貼り付けられている。この場合、偏光方向回転手段による中央部と周辺部との偏光切替境界をデフォーカスさせやすくなる。
【発明を実施するための最良の形態】
【００１４】
〔第１実施形態〕
図１は、本発明の第１実施形態に係るプロジェクタの全体構造を説明する側面図である。このプロジェクタ１０は、背面投写によって画像を表示するリヤプロジェクションタイプの装置であり、筐体であるケース１２の底部にプロジェクタ本体１４を備え、ケース１２内の背面側上部に反射ミラー１６を備え、ケース１２正面に透過型スクリーン１８を備える。プロジェクタ本体１４から射出された像光は、光軸ＯＡ１に沿って後方斜め上に進行し、折返しミラーである反射ミラー１６で水平な光軸ＯＡ２方向に折り曲げられて透過型スクリーン１８に入射する。なお、これらプロジェクタ本体１４、反射ミラー１６、及び透過型スクリーン１８は、不図示の手段によってケース１２内に位置決めされて固定されている。
【００１５】
図２は、図１に示すプロジェクタ１０のうちプロジェクタ本体１４の構造を概念的に説明するブロック図である。このプロジェクタ本体１４は、光源光を発生する光源装置２１と、光源装置２１からの光源光をＲＧＢの３色に分割する色分割光学系２３と、色分割光学系２３から射出された各色の照明光によって照明される光変調部２５と、光変調部２５からの各色の変調光を合成するための光合成部材であるクロスダイクロイックプリズム２７と、クロスダイクロイックプリズム２７を経た像光をスクリーン（不図示）に投射するための投射光学系である投射レンズ２９とを備える。このうち、光源装置２１及び色分割光学系２３は、光変調部２５を照明するための照明装置を構成する。また、光変調部２５及びクロスダイクロイックプリズム２７は、光変調手段として機能し、照明光からカラーの像光を形成する。
【００１６】
ここで、光源装置２１は、光源ランプ２１ａと、一対のフライアイ光学系２１ｄ，２１ｅと、偏光変換部材２１ｇと、重畳レンズ２１ｉとを備える。ここで、光源ランプ２１ａは、例えば高圧水銀ランプからなり、光源光をコリメートするための凹面鏡を備える。一対のフライアイ光学系２１ｄ，２１ｅは、マトリックス状に配置された複数の要素レンズからなり、これらの要素レンズによって、光源ランプ２１ａからの光源光を分割して個別に集光・発散させる。偏光変換部材２１ｇは、フライアイ光学系２１ｅから射出した光源光を図１の紙面に垂直なＳ偏光成分のみに変換して次段光学系に供給する。重畳レンズ２１ｉは、偏光変換部材２１ｇを経た照明光を全体として適宜収束させて、光変調部２５に設けた各色の光変調装置に対する重畳照明を可能にする。つまり、両フライアイ光学系２１ｄ，２１ｅと重畳レンズ２１ｉとを経た照明光は、以下に詳述する色分割光学系２３を経て、光変調部２５に設けられた各色の光変調装置すなわち各色の液晶ライトバルブ２５ａ〜２５ｃを均一に重畳照明する。
【００１７】
色分割光学系２３は、第１及び第２ダイクロイックミラー２３ａ，２３ｂと、３つのフィールドレンズ２３ｆ，２３ｇ，２３ｈと、反射ミラー２３ｍ，２３ｎ，２３ｏとを備える。第１ダイクロイックミラー２３ａは、ＲＧＢの３色のうちＲ光を反射しＧ光及びＢ光を透過させる。また、第２ダイクロイックミラー２３ｂは、入射したＧＢの２色のうちＧ光を反射しＢ光を透過させる。この色分割光学系２３において、光源装置２１からの白色の照明光は、第１ダイクロイックミラー２３ａに入射する。第１ダイクロイックミラー２３ａで反射されたＲ光は、Ｓ偏光のまま第１光路ＯＰ１に導かれ、反射ミラー２３ｍを経て入射角度を調節するためのフィールドレンズ２３ｆに入射する。また、第１ダイクロイックミラー２３ａを透過して第２ダイクロイックミラー２３ｂで反射されたＧ光は、Ｓ偏光のまま第２光路ＯＰ２に導かれフィールドレンズ２３ｇに入射する。さらに、第２ダイクロイックミラー２３ｂを通過したＢ光は、Ｓ偏光のまま第３光路ＯＰ３に導かれ、光路長差を補償するためのリレーレンズＬＬ１，ＬＬ２及び反射ミラー２３ｎ，２３ｏを経て入射角度を調節するためのフィールドレンズ２３ｈに入射する。
【００１８】
光変調部２５は、それぞれが光変調装置である３つの液晶ライトバルブ２５ａ〜２５ｃと、各液晶ライトバルブ２５ａ〜２５ｃを挟むように配置される３組の偏光フィルタ２５ｅ〜２５ｇとを備える。第１光路ＯＰ１に導かれたＲ光は、フィールドレンズ２３ｆを介して液晶ライトバルブ２５ａに入射する。第２光路ＯＰ２に導かれたＧ光は、フィールドレンズ２３ｇを介して液晶ライトバルブ２５ｂに入射する。第３光路ＯＰ３に導かれたＢ光は、フィールドレンズ２３ｈを介して液晶ライトバルブ２５ｃに入射する。各液晶ライトバルブ２５ａ〜２５ｃは、入射した照明光の空間的強度分布を変調するための非発光型の光変調装置である。各液晶ライトバルブ２５ａ〜２５ｃに入射した３色の光は、各液晶ライトバルブ２５ａ〜２５ｃに電気的信号として入力された駆動信号或いは画像信号に応じて、画素単位でそれぞれ偏光状態が調整される。その際、偏光フィルタ２５ｅ〜２５ｇによって、各液晶ライトバルブ２５ａ〜２５ｃに入射する照明光の偏光方向が調整されるとともに、各液晶ライトバルブ２５ａ〜２５ｃから射出される光から所定の偏光方向の変調光が取り出される。
【００１９】
クロスダイクロイックプリズム２７は、Ｒ光反射用の誘電体多層膜２７ａとＢ光反射用の誘電体多層膜２７ｂとを直交させた状態で内蔵する。このクロスダイクロイックプリズム２７は、液晶ライトバルブ２５ａからのＲ光を誘電体多層膜２７ａで反射して進行方向右側に射出させ、液晶ライトバルブ２５ｂからのＧ光を誘電体多層膜２７ａ，２７ｂを介して直進・射出させ、液晶ライトバルブ２５ｃからのＢ光を誘電体多層膜２７ｂで反射して進行方向左側に射出させる。
【００２０】
クロスダイクロイックプリズム２７の射出面２７ｃには、平坦で矩形枠状のλ／２板からなる位相差板２８が貼り付けられている。この位相差板２８は、偏光方向回転手段として、クロスダイクロイックプリズム２７を経たカラー像光の偏光方向を、光路断面の周辺部でのみ９０°回転させる。つまり、クロスダイクロイックプリズム２７のの射出面２７ｃ側において、周辺部のカラー像光が両誘電体多層膜２７ａ，２７ｂを基準としてＳ偏光からＰ偏光に変換される。
【００２１】
図３は、位相差板２８の構造を説明する図である。クロスダイクロイックプリズム２７の射出面２７ｃに貼り付けられた位相差板２８は、例えば矩形の輪郭を有し、中央部に矩形の開口２８ａを有する。位相差板２８の輪郭と中央の開口２８ａとは、中心が一致する相似形になっている。クロスダイクロイックプリズム２７から射出されるカラー像光は、光路断面の中央部すなわち光軸ＯＡ周辺において、位相差板２８の開口２８ａを通過するのでＳ偏光のままに維持される。また、光路断面の周辺部すなわち光軸ＯＡから離れた部分において、射出されるカラー像光は、位相差板２８の透過によってＳ偏光からＰ偏光に変換される。つまり、クロスダイクロイックプリズム２７から射出される像光のうち光路断面の周辺部のみ偏光方向が９０゜回転することになる。なお、上記の例では、位相差板２８の開口２８ａを正方形に近い矩形としたが、その縦横比やサイズは液晶ライトバルブ２５ａ〜２５ｃの被照射面の形状、サイズ等に対応して適宜変更することができる。また、位相差板２８の開口２８ａを円形や楕円形とすることもできる。
【００２２】
図２に戻って、投射レンズ２９は、クロスダイクロイックプリズム２７から射出され位相差板２８によって偏光方向の部分的回転が付与されたカラー像光を、反射ミラー１６を介してスクリーン１８上に適当な拡大率で投射する。この際、クロスダイクロイックプリズム２７から射出されるＳ偏光は、位相差板２８によって周辺部においてＰ偏光とされる。つまり、クロスダイクロイックプリズム２７から射出されるカラー像光は、中央部でＳ偏光となっており、周辺部でＰ偏光となっている。以上は、クロスダイクロイックプリズム２７を基準とした偏光面の定義であったが、図１の反射ミラー１６については、一対の光軸ＯＡ１，ＯＡ２を含む面（垂直な平面）が基準面となるので、クロスダイクロイックプリズム２７のＳ偏光はＰ偏光となり、クロスダイクロイックプリズム２７のＰ偏光はＳ偏光となる。つまり、反射ミラー１６に入射する像光は、中央部で主にＰ偏光となっており、周辺部で主にＳ偏光となっている。よって、反射ミラー１６の周辺部に入射した像光は、Ｓ偏光が支配的であるがゆえに高い反射率で反射され、反射ミラー１６の中央部に入射した像光は、Ｐ偏光が支配的であるがゆえに相対的に低い反射率で反射される。この結果、透過型スクリーン１８の周辺部における入射角の増大に起因して生じる光量損失を相殺するように、透過型スクリーン１８の周辺部に明るい像光を入射させることができるので、透過型スクリーン１８上の全体に均一な明るさの画像を形成することができる。なお、以上の位相差板２８は、液晶ライトバルブ２５ａ〜２５ｃに近いがピントが適度にぼけた状態で透過型スクリーン１８上に投射されるので、開口２８ａの輪郭が投影されることを防止でき、滑らかな輝度分布の画像を得ることができる。
【００２３】
以下、本実施形態に係るプロジェクタ１０の動作について説明する。光源装置２１からの光源光は、色分割光学系２３に設けた第１及び第２ダイクロイックミラー２３ａ，２３ｂによって色分割され、対応する液晶ライトバルブ２５ａ〜２５ｃに照明光としてそれぞれ入射する。各液晶ライトバルブ２５ａ〜２５ｃは、外部からの画像信号によって変調されて２次元的屈折率分布を有しており、照明光を２次元空間的に画素単位で変調する。このように、各液晶ライトバルブ２５ａ〜２５ｃで変調された照明光すなわち像光はクロスダイクロイックプリズム２７で合成された後、投射レンズ２９に入射する。投射レンズ２９に入射した像光は、反射ミラー１６を経てスクリーン１８に投影される。この際、クロスダイクロイックプリズム２７の射出面２７ｃに中央に開口２８ａを有する位相差板２８を貼り付けているので、反射ミラー１６の中央部にＰ偏光を入射させ、反射ミラー１６の周辺部にＳ偏光を入射さることができる。よって、反射ミラー１６の周辺部における像光の反射率を高めることができ、透過型スクリーン１８上に投射される画像が周辺で暗くなる現象を抑えることができる。
【００２４】
〔第２実施形態〕
以下、第２実施形態のプロジェクタについて説明する。このプロジェクタは、第１実施形態のプロジェクタ１０を、偏光方向回転手段である位相差板２８に関して変形したものである。
【００２５】
図４は、第２実施形態のプロジェクタに組み込まれる偏光方向回転装置１２８の構造を説明する図である。偏光方向回転装置１２８は、偏光方向回転手段としてクロスダイクロイックプリズム２７の射出面２７ｃに貼り付けられており、光路断面を全体的に覆うように取り付けられた下地の第１位相差板１２８Ａと、光路断面の中央部すなわち光軸ＯＡ周辺を覆うように取り付けられた上層の第２位相差板１２８Ｂとを備える。第１及び第２位相差板１２８Ａ，１２８Ｂは、共にλ／２波長板であるので、第１位相差板１２８Ａで形成された偏光方向の回転が第２位相差板１２８Ｂによって相殺され、結果的に、第２位相差板１２８Ｂを通過する像光は偏光方向の回転作用を受けないでそのまま通過する。
【００２６】
以上のような偏光方向回転装置１２８を用いることにより、クロスダイクロイックプリズム２７から射出される像光は、光路断面の中央部においてはＳ偏光のままとなっており、光路断面の周辺部においてＳ偏光からＰ偏光に変換される。つまり、クロスダイクロイックプリズム２７から射出される像光のうち光路断面の周辺部のみ偏光方向が９０゜回転することになる。よって、第１実施形態の場合と同様に、反射ミラー１６の周辺部における像光の反射率を高めることができ、透過型スクリーン１８上に投射される画像が周辺で暗くなる現象を抑えることができる。
【００２７】
第２実施形態で用いた偏光方向回転装置１２８は、矩形の位相差板１２８Ａ，１２８Ｂを貼り合わせただけであるので、加工が簡単である。
【００２８】
〔第３実施形態〕
以下、第３実施形態のプロジェクタについて説明する。このプロジェクタは、第１実施形態のプロジェクタ１０を位相差板２８の取付け位置に関して変形したものである。
【００２９】
図５は、第３実施形態のプロジェクタに組み込まれる位相差板２２８の配置を説明する図である。この場合、位相差板２２８は、投射レンズ２９を構成する多数の光学素子であるレンズ要素２９ａ，２９ｂ等のうち、入射レンズ２９ａの入射面に貼り付けられている。よって、投射レンズ２９に入射するＳ偏光は、位相差板２２８によって周辺部においてＰ偏光に変換され、中央部の開口２２８ａをＳ偏光のまま通過する。つまり、投射レンズ２９から射出される像光は、中央部で概ねＳ偏光となっており、周辺部で概ねＰ偏光となっているので、反射ミラー１６（図１参照）の周辺部における像光の反射率を高めることができ、透過型スクリーン１８（図１参照）上に投射される画像が周辺で暗くなる現象を抑えることができる。
【００３０】
なお、以上の位相差板２２８は、図４に示す第２実施形態の偏光方向回転装置１２８と同様の２層構造の波長板に置き換えることができる。
【００３１】
〔第４実施形態〕
以下、第４実施形態のプロジェクタについて説明する。このプロジェクタは、第１実施形態のプロジェクタ１０を位相差板２８の取付け位置に関して変形したものである。
【００３２】
図６は、第４実施形態のプロジェクタに組み込まれる位相差板３２８の配置を説明する図である。この場合、位相差板３２８は、投射レンズ２９を構成する多数のレンズ要素２９ａ，２９ｂ等のうち、射出レンズ２９ｂの射出面に貼り付けられている。よって、投射レンズ２９から射出するＳ偏光は、位相差板３２８によって周辺部においてＰ偏光に変換され、中央部の開口３２８ａをＳ偏光のまま通過する。つまり、投射レンズ２９から射出される像光は、中央部で概ねＳ偏光となっており、周辺部で概ねＰ偏光となっているので、反射ミラー１６（図１参照）の周辺部における像光の反射率を高めることができ、透過型スクリーン１８（図１参照）上に投射される画像が周辺で暗くなる現象を抑えることができる。
【００３３】
なお、以上の位相差板３２８は、図４に示す第２実施形態の偏光方向回転装置１２８と同様の２層構造の波長板に置き換えることができる。
【００３４】
〔第５実施形態〕
以下、図７を参照して、第５実施形態のプロジェクタについて説明する。このプロジェクタ４１０は、第１実施形態のプロジェクタ本体１４を光軸ＯＡのまわりに９０゜回転させた構造を有している。この結果、クロスダイクロイックプリズム２７と反射ミラー１６との偏光面の定義が一致する。つまり、プロジェクタ本体１４に組み込まれる位相差板４２８は、クロスダイクロイックプリズム２７の射出面に貼り付けられて光軸ＯＡの周辺の中央部のみを覆う。これにより、クロスダイクロイックプリズム２７から射出される像光は、光路断面の中央部において、位相差板４２８を透過するのでＳ偏光からＰ偏光に変換され、光路断面の周辺部において、位相差板４２８を透過しないのでＳ偏光のままとなる。この結果、反射ミラー１６に入射する像光は、中央部で主にＰ偏光となり、周辺部で主にＳ偏光となるので、透過型スクリーン１８の周辺部に明るい像光を入射させることができる。
【００３５】
以上、実施形態に即して本発明を説明したが、本発明は上記実施形態に限定されるものではない。例えば、上記各実施形態において、プロジェクタ本体は、３枚の液晶ライトバルブ２５ａ〜２５ｃからなるいわゆる３板式のプロジェクタであるが、白色光源とカラータイプの液晶ライトバルブとを組み合わせた単板式のプロジェクタにおいても、液晶ライトバルブの後段に位相差板２８，２２８，３２８，４２８、偏光方向回転装置１２８と同様のものを配置することによって、透過型スクリーン１８の周辺減光を防止することができる。
【００３６】
また、上記第１実施形態等では、位相差板２８に開口２８ａを形成しているが、この開口２８ａに複屈折性を有しない透明材料を充填することにより、中央部と周辺部との境界で像光について光路段差が発生することを防止できる。
【００３７】
また、上記実施形態では、位相差板２８，２２８，３２８，４２８や偏光方向回転装置１２８をλ／２波長板で形成しているが、他の種類の波長板（λ／４波長板等）で形成することもできる。この場合、周辺での輝度向上量をある程度調整することができる。
【００３８】
また、以上の位相差板２８，２２８，３２８，４２８は、特定波長に対するものであっても良いが、ＲＧＢの各色に対応したものとすることができる。この場合、複屈折による光路差がｎ＋λ／２（ｎはＲＧＢの各色ごとに異なる自然数）であればよい。
【図面の簡単な説明】
【００３９】
【図１】第１実施形態のプロジェクタを説明する図である。
【図２】図１に示すプロジェクタ本体の光学系を説明する図である。
【図３】位相差板の構造及び取付状態を説明する図である。
【図４】第２実施形態のプロジェクタにおける偏光方向回転装置を説明する図である。
【図５】第３実施形態のプロジェクタにおける位相差板の配置を説明する図である。
【図６】第４実施形態のプロジェクタにおける位相差板の配置を説明する図である。
【図７】第５実施形態のプロジェクタを説明する図である。
【符号の説明】
【００４０】
１０…プロジェクタ、  １４…プロジェクタ本体、  １６…反射ミラー、  １８…透過型スクリーン、  ２１…光源装置、  ２１ｇ…偏光変換部材、  ２３…色分割光学系、  ２３ａ，２３ｂ…ダイクロイックミラー、  ２５…光変調部
２５ａ〜２５ｃ…液晶ライトバルブ、  ２７…クロスダイクロイックプリズム、  ２７ａ，２７ｂ…誘電体多層膜、  ２７ｃ…射出面、  ２８…位相差板、  ２９…投射レンズ
【図１】
2005250241.tif 000003
【図２】
2005250241.tif 000004
【図３】
2005250241.tif 000005
【図４】
2005250241.tif 000006
【図５】
2005250241.tif 000007
【図６】
2005250241.tif 000008
【図７】
2005250241.tif 000009